(57)【要約】【課題】建造物についての作業に支障をきたすことなく、容易にかつ短時間で引留碍子の防護を行うことができる碍子用防護カバー及び引留碍子の防護構造を提供する。【解決手段】本発明の碍子用防護カバー１は、引留碍子３を覆う筒状部１０と、引込元から延びる低圧引込線２が通過可能に筒状部１０の一端を覆う第一端壁１１と、引留碍子３に設けられた固定部材４が通過可能に筒状部１０の他端を覆う第二端壁１２とを備えている。筒状部１０及び両端壁１１，１２には、低圧引込線２を引き留めた状態で引留碍子３、低圧引込線２、及び固定部材４を筒状部１０の内外に通過させる開口１３が形成されている。【選択図】図２
2012075237.tif 000002
【特許請求の範囲】
【請求項１】
引込元から建造物に延びるとともに複数本の被覆線からなる低圧引込線を前記建造物側に引き留める引留碍子を覆う引留碍子用防護カバーであって、
前記引留碍子の外周を覆う筒状部と、
前記筒状部の両端を覆う一対の端壁と、を備え、
前記筒状部の底部及び前記一対の端壁には、前記低圧引込線を前記建造物側に引き留めた状態で前記引留碍子、前記低圧引込線、及び前記引留碍子を前記建造物側に固定する固定部材を、前記筒状部の内外に通過させる開口が形成されていることを特徴とする引留碍子用防護カバー。
【請求項２】
前記開口は、前記筒状部の底部に設けられ、前記引留碍子を通過させるとともに前記低圧引込線の内、前記引留碍子から前記被覆線同士を互いに分離させた状態で前記建造物側に向かって延びる建造物側の区間を、当該区間の各被覆線を個別に覆う複数本の第一の防護管ごと通過させる幅広部を有している請求項１に記載の引留碍子用防護カバー。
【請求項３】
前記開口は、前記一対の端壁の内の一方に設けられ、前記筒状部に導入された前記低圧引込線を、当該低圧引込線を覆う第二の防護管ごと包囲する孔部を有している請求項１又は２に記載の引留碍子用防護カバー。
【請求項４】
前記筒状部、及び前記一対の端壁が弾性変形可能な合成樹脂で形成されている請求項１〜３のいずれか一項に記載の引留碍子用防護カバー。
【請求項５】
引込元から建造物に延びるとともに複数本の被覆線からなる低圧引込線を前記建造物側に引き留める引留碍子と、前記低圧引込線の引留碍子近傍とを覆うための引留碍子の防護構造であって、
前記引留碍子の外周を覆う筒状部と、前記筒状部の両端を覆う一対の端壁と、を備え、前記筒状部の底部及び前記一対の端壁には、前記低圧引込線を前記建造物側に引き留めた状態で前記引留碍子、前記低圧引込線、及び前記引留碍子を前記建造物側に固定する固定部材を、前記筒状部の内外に通過させる開口が形成されている引留碍子用防護カバーによって前記引留碍子を覆い、
前記開口が有する、前記筒状部の底部に設けられた前記引留碍子を通過させる幅広部に、前記低圧引込線の内、前記引留碍子から前記被覆線同士を互いに分離させた状態で前記建造物側に向かって延びる建造物側の区間を、当該区間の各被覆線を個別に覆う複数本の第一の防護管ごと通過させているとともに、
前記開口が有する、前記一対の端壁の内の一方に設けられた孔部に、前記筒状部に導入された前記低圧引込線を、当該低圧引込線を覆う第二の防護管ごと通過させていることを特徴とする引留碍子の防護構造。
【発明の詳細な説明】
【技術分野】
【０００１】
本発明は、電柱等に架設された送電線から分岐して建造物等に向けて延ばされる低圧引込線を引き留める引留碍子を防護するための引留碍子用防護カバー及び引留碍子の防護構造に関する。
【背景技術】
【０００２】
従来から、電柱に架設された送電線から延びる低圧引込線を建物等との間で引き留めるために引留碍子が用いられている。この引留碍子は、前記低圧引込線が巻き掛けられるとともに建物側に設けられたブラケット等に固定される。これによって、低圧引込線は、建物側に引き留められ、電柱と建物との間で架空される（例えば、特許文献１参照）。
【先行技術文献】
【特許文献】
【０００３】
【特許文献１】特開２００７−１１６８４１号公報
【発明の概要】
【発明が解決しようとする課題】
【０００４】
図３は、上記引留碍子の設置例を示す図である。引留碍子１００は、陶器や合成樹脂等の絶縁材料によって形成された部材であり、上述のように、例えば電柱（図示せず）から延びる低圧引込線１０１が巻き掛けられている。この低圧引込線１０１としては、通常、複数の被覆線を樹脂で覆った例えば単相３線式のものが用いられる。また、引留碍子１００は、建物１０２に設けられたブラケット１０３に対して、ワイヤ等からなる固定部材１０４を介して固定されている。引留碍子１００によって引き留められた低圧引込線１０１は、前記被覆線同士が互いに分離された状態で、建物１０２内に電力を導く屋内引込線１０５に接続される。
【０００５】
図３に示すように、引留碍子１００は、建物１０２の引込線１０５に接続するために低圧引込線１０１を引き留めるので、通常、建物１０２の軒下等、建物１０２に近接する位置に配置される。従って、改築や外壁塗装工事等といった当該建物１０２についての作業を行う際に、作業者が引留碍子１００に近づかなければならない場合がある。このため、前記工事期間においては、作業者の安全を確保するために、引留碍子１００の外側をビニールシート等の被覆材１０６で被覆し、作業者が引留碍子１００等に直接接触しないように防護するといったことがなされている。
【０００６】
しかし、図３に示すように、引留碍子１００からは、前記電柱から延びる低圧引込線１０１や、建物１０２側に引留碍子１００を固定するための固定部材１０４が延びているため、被覆材１０６で引留碍子１００の周囲をすきまなく被覆するには困難を伴う。このため、引留碍子１００を防護する作業に多くの時間を要していた。
【０００７】
さらに、上述のようなシート状の被覆材１０６で引留碍子１００を被覆し防護しようとすると、図３に示すように、引留碍子１００の周囲を広範囲に亘って被覆しなければならず、被覆材１０６が、建物１０２に接近することとなる。このため、建物１０２についての作業に支障をきたす場合が生じていた。
【０００８】
本発明はこのような事情に鑑みてなされたものであり、建造物についての作業に支障をきたすことなく、容易にかつ短時間で引留碍子の防護を行うことができる引留碍子用防護カバー及び引留碍子の防護構造の提供を目的とする。
【課題を解決するための手段】
【０００９】
上記目的を達成するための本発明は、引込元から建造物に延びるとともに複数本の被覆線からなる低圧引込線を前記建造物側に引き留める引留碍子を覆う引留碍子用防護カバーであって、前記引留碍子の外周を覆う筒状部と、前記筒状部の両端を覆う一対の端壁と、を備え、前記筒状部の底部及び前記一対の端壁には、前記低圧引込線を前記建造物側に引き留めた状態で前記引留碍子、前記低圧引込線、及び前記引留碍子を前記建造物側に固定する固定部材を、前記筒状部の内外に通過させる開口が形成されていることを特徴としている。
【００１０】
上記のように構成された引留碍子用防護カバーによれば、筒状部及び両端壁に、低圧引込線を引き留めた状態で引留碍子、低圧引込線、及び固定部材を筒状部の内外に通過させる開口が形成されているので、低圧引込線を引き留めた状態の引留碍子をこの開口を通して筒状部の内部に導入することができる。このため、容易に引留碍子を覆うことができる。また、本発明では、筒状部及び両端壁によって、引留碍子を必要最小限の範囲で覆うことができるので、建造物側で行われる作業の妨げとなるのを防止できる。
【００１１】
上記引留碍子用防護カバーにおいて、前記開口は、前記筒状部の底部に設けられ、前記引留碍子を通過させるとともに前記低圧引込線の内、前記引留碍子から前記被覆線同士を互いに分離させた状態で前記建造物側に向かって延びる建造物側の区間を、当該区間の各被覆線を個別に覆う複数本の第一の防護管ごと通過させる幅広部を有していることが好ましい。
この場合、幅広部によって、低圧引込線の建造物側の区間を、第一の防護管ごと筒状部の内部に導くことができるので、当該建造物側の区間と筒状部との境界部を隙間なく覆って防護することが容易となる。
また、上記引留碍子用防護カバーは、低圧引込線の建造物側の区間を第一の防護管ごと筒状部の内部に導いているので、筒状部が自己の軸線回りに回動するのを防止できる。このため、特に、回り止めに対する対策等を採る必要がなく、より短時間で引留碍子の防護を行うことができる。
【００１２】
また、前記開口は、前記一対の端壁の内の一方に設けられ、前記筒状部に導入された前記低圧引込線を、当該低圧引込線を覆う第二の防護管ごと包囲する孔部を有していることが好ましい。
この場合、孔部によって、引込元から延びる低圧引込線を第二の防護管ごと筒状部の内部に導くことができるので、引込元から延びる低圧引込線と一方の端壁との境界部を隙間なく覆って防護することができる。
また、孔部を通して低圧引込線を第二の防護管ごと筒状部の内部に導くことで、筒状部の上下方向の移動を規制することができ、筒状部が上方へ抜けてしまうのを防止できる。
【００１３】
また、上記引留碍子用防護カバーにおいて、前記筒状部、及び前記一対の端壁が弾性変形可能な合成樹脂で形成されていてもよく、この場合、引留碍子を筒状部の内部に導入する際に、筒状部及び端壁を適度に弾性変形させることができ、より容易に引留碍子の防護を行うことができる。
【００１４】
また、本発明は、引込元から建造物に延びるとともに複数本の被覆線からなる低圧引込線を前記建造物側に引き留める引留碍子と、前記低圧引込線の引留碍子近傍とを覆うための引留碍子の防護構造であって、前記引留碍子の外周を覆う筒状部と、前記筒状部の両端を覆う一対の端壁と、を備え、前記筒状部の底部及び前記一対の端壁には、前記低圧引込線を前記建造物側に引き留めた状態で前記引留碍子、前記低圧引込線、及び前記引留碍子を前記建造物側に固定する固定部材を、前記筒状部の内外に通過させる開口が形成されている引留碍子用防護カバーによって前記引留碍子を覆い、前記開口が有する、前記筒状部の底部に設けられた前記引留碍子を通過させる幅広部に、前記低圧引込線の内、前記引留碍子から前記被覆線同士を互いに分離させた状態で前記建造物側に向かって延びる建造物側の区間を、当該区間の各被覆線を個別に覆う複数本の第一の防護管ごと通過させているとともに、前記開口が有する、前記一対の端壁の内の一方に設けられた孔部に、前記筒状部に導入された前記低圧引込線を、当該低圧引込線を覆う第二の防護管ごと通過させていることを特徴としている。
【００１５】
上記のように構成された引留碍子の防護構造によれば、第一及び第二の防護管によって、筒状部が自己の軸線回りに回動するのを防止できるとともに、筒状部が上方へ抜けてしまうのを防止できるので、筒状部の回り止め対策や抜け止め対策が不要となる。このため、建造物についての作業に支障をきたすことなく、一層、容易にかつ短時間で引留碍子の防護を行うことができる。
【発明の効果】
【００１６】
本発明の碍子用防護カバー及び引留碍子の防護構造によれば、建造物についての作業に支障をきたすことなく、容易にかつ短時間で引留碍子の防護を行うことができる。
【図面の簡単な説明】
【００１７】
【図１】本発明の一実施形態に係る引留碍子用防護カバー及び引留碍子の防護構造を示す側面図である。
【図２】（ａ）は、引留碍子用防護カバーの斜視図であり、（ｂ）は、引留碍子用防護カバーの側面図である。
【図３】引留碍子の設置例を示す図である。
【発明を実施するための形態】
【００１８】
次に、本発明の好ましい実施形態について添付図面を参照しながら説明する。図１は、本発明の一実施形態に係る引留碍子用防護カバー及び引留碍子の防護構造を示す側面図である。
図において、本実施形態の碍子用防護カバー１は、引込元である電柱（図示せず）から建物Ｈに延びる低圧引込線２を建物Ｈ側に引き留めるバインドレス引留碍子３の周囲を覆うように取り付けられている。
【００１９】
バインドレス引留碍子３（以下、引留碍子３ともいう）は、陶器や合成樹脂等の絶縁材料によって形成された部材であり、その外面に形成された突起に前記電柱から延びる低圧引込線２が巻き掛けられている。また、引留碍子３には、当該引留碍子３を建物Ｈ側に固定するためのワイヤ等からなる固定部材４が設けられている。
引留碍子３は、固定部材４を建物Ｈに設けられたブラケットｈ１に接続することで建物Ｈ側に固定されている。また、引留碍子３には、低圧引込線２が８の字状に巻き掛けられているので、引留碍子３を建物Ｈ側に固定するだけで、低圧引込線２は、建物Ｈ側に引き留められ、前記電柱と建物Ｈとの間で架空されている。
【００２０】
引留碍子３によって引き留められた低圧引込線２は、３本の被覆線を樹脂で覆った単相３線式のものが用いられており、引留碍子３に巻き掛けられた部分から終端２ａに亘る区間では、３本の被覆線２ｂ同士が互いに分離された状態で下側に垂下されている。低圧引込線２（被覆線２ｂ）の終端２ａは、建物Ｈから延びる当該建物Ｈ内に電力を導くための屋内引込線５に接続されている。
なお、以下の説明では、低圧引込線２における引留碍子３に巻き掛けられた部分から終端２ａまでの各被覆線２ｂに分離された区間を「建物側区間」ともいい、電柱から引留碍子３までの区間を「電柱側区間」ともいう。
【００２１】
低圧引込線２における電柱側区間の引留碍子３近傍、及び、建物側区間には、それぞれ樹脂製の第一及び第二防護管６，７が取り付けられている。
建物側区間に取り付けられている第一防護管６は、蛇腹状の屈曲可能なパイプであり、低圧引込線２の３本の被覆線２ｂを個別に覆うことで、作業者等が低圧引込線２に接触しないように防護している。よって、建物側区間の第一防護管６は、通常、３本一組で用いられる。このように、３本の被覆線２ｂを個別に覆うことで、万一、第一防護管６の内部に雨水等が入ったとしても、各被覆線２ｂが互いに短絡するのを防止することができる。
また、第一防護管６には、屋内引込線５に接続した状態で被覆線２ｂを内部に収納するための切り込みが軸方向全域に亘って形成されている。
【００２２】
電柱側区間に取り付けられている第二防護管７は、円筒状のパイプであり、引留碍子３近傍の低圧引込線２を覆うことで、作業者等が低圧引込線２に接触しないように防護している。この第二防護管７の全長は、例えば、６０センチメートルに設定されている。第二防護管７には、上記第一防護管６と同様、低圧引込線２を架空した状態で当該低圧引込線２を内部に収納するための切り込みが軸方向全域に亘って形成されている。
【００２３】
図２（ａ）は、碍子用防護カバー１の斜視図である。図２（ａ）において、碍子用防護カバー１は、絶縁性を有する合成樹脂等により形成されており、引留碍子３を覆う筒状部１０と、筒状部１０の端部を覆う第一及び第二端壁１１，１２とを備えている。
筒状部１０は、断面ほぼ矩形の筒状に形成されており、その内部に引留碍子３を収容可能な空間を有している。筒状部１０は、引留碍子３を内部に収容し、当該引留碍子３の周囲を必要最小限の範囲で覆うことができる程度の大きさに形成されており、より具体的には、軸方向長さが２０〜３０センチメートル程度、断面の一辺の長さが１０〜２０センチメートル程度に設定されている。
【００２４】
図２（ｂ）は、（ａ）中の引留碍子用防護カバー１の側面（矢印Ｘの方向から見た面）図である。図２（ａ）及び図２（ｂ）に示すように、筒状部１０及び両端壁１１，１２には、当該筒状部１０の軸方向に沿う開口１３が形成されている。この開口１３は、第一端壁１１、筒状部１０の底壁１０ａ、及び第二端壁１２に亘って形成されており、筒状部１０の底壁１０ａの幅方向中央から軸方向に沿って上方向に碍子用防護カバー１全体を分割するように形成されている。
【００２５】
開口１３は、筒状部１０の底壁１０ａに位置する部分に比較的幅広に形成された幅広部１４と、幅広部１４から第一端壁１１に亘って形成された幅広部１４より狭い幅の第一スリット部１５と、第一端壁１１に形成された孔部１１ａと、幅広部１４から第二端壁１２に亘って形成された幅広部１４より狭い幅の第二スリット部１６とを有している。
【００２６】
幅広部１４は、引留碍子３が通過可能であるとともに、低圧引込線２の建物側区間における各被覆線２がこれらを個別に覆う各第一防護管６ごと通過可能な大きさで矩形状に形成されている。
【００２７】
第一端壁１１に形成された孔部１１ａは、低圧引込線２の電柱側区間を通過させるために設けられている。この孔部１１ａは、電柱側区間を覆う第二防護管７が挿入可能な内径に形成されており、低圧引込線２を、当該低圧引込線２を覆う第二防護管７ごと包囲している。これにより、孔部１１ａには、図１に示すように、第二防護管７が差し込まれている。
第一スリット部１５は、第一端壁１１を、下端縁１１ｂから孔部１１ａの内周面までの範囲で切り欠いている。また、第一スリット部１５は、低圧引込線２の外径よりも大きい幅で形成されている。このため、低圧引込線２は、筒状部１０の底壁１０ａ側から、第一スリット部１５を通じて、孔部１１ａの内周面側に通過可能である。
【００２８】
また、第二スリット部１６は、図２（ｂ）に示すように、第二端壁１２を、上壁１０ｂ付近まで切り欠いている。第二スリット部１６は、固定部材４の外径よりも大きい幅で形成されており、固定部材４は、第二スリット部１６を通過可能である。このため、固定部材４は、引留碍子３が筒状部１０の幅広部１４から内部に導入されるのを妨げない。
【００２９】
このように、開口１３は、電柱から延びる低圧引込線２を建物Ｈ側に引き留めた状態で引留碍子３、低圧引込線２、及び、固定部材４を筒状部１０の内外に通過させることができる。
【００３０】
上記碍子用防護カバー１を用いて、電柱から延びる低圧引込線２を引き留めている引留碍子３の防護処理を行うには、まず、碍子用防護カバー１を引留碍子３の上側から被せるように取り付ける。この際、引留碍子３からは、低圧引込線２の電柱側区間、及び固定部材４が、当該低圧引込線２の架線されている方向に沿って延びているが、上記開口１３は、引留碍子３が通過可能な幅広部１４を有するとともに、電柱側区間、及び固定部材４が通過可能な第一及び第二幅狭部１５，１６を有しているので、当該引留碍子３を筒状部１０の内部に導入することができる。
また、下側に垂下している低圧引込線２の建物側区間は、開口１３の幅広部１４を通じてそのまま垂下した状態を維持できる。
【００３１】
上記のように、碍子用防護カバー１によって引留碍子３を覆った後、低圧引込線２の電柱側区間の外周側に第二防護管７を取り付け、さらに、第二防護管７を、図１に示すように、碍子用防護カバー１の孔部１１ａに挿入する。このように、孔部１１ａに第二防護管７を挿入することで、筒状部１０の上下方向の移動を規制することができ、当該筒状部１０が上方へ抜けてしまうのを防止できる。
【００３２】
次いで、低圧引込線２の建物側区間に対して第一防護管６を取り付け、当該第一防護管６を、図１に示すように、碍子用防護カバー１の幅広部１４に挿入する。なお、幅広部１４は、引留碍子３を通過させるとともに、防護管７ごと建物側区間を通過させる程度の寸法で形成されている。
そして、第一防護管６と碍子用防護カバー１の境界部分、及び、第二防護管７と碍子用防護カバー１の境界部分に沿って、ビニールテープ等を巻くことで、これら境界部分を密封し、雨等の水分が侵入しないように防水処理を施し、防護処理を終える。
【００３３】
以上のようにして、本実施形態の碍子用防護カバー１を用いた引留碍子３の防護処理を行うとともに、引留碍子３の防護構造を得ることができる。
上記従来例のように、ビニールシート等を用いて、引留碍子３を防護した場合、引留碍子３をビニールシートで覆いくるむのに比較的作業時間を要し、さらにシートの隙間を塞ぐ必要があるため、概ね１５分程度の作業時間を必要とする。また、作業者によっては、慣れ不慣れがあり、作業時間に個人差が生じる。
しかし、本実施形態の碍子用防護カバー１を用いた引留碍子３の防護処理では、引留碍子３を覆うのに碍子用防護カバー１及び防護管６，７を取り付けた後、簡単な防水処理を行えばよいので、その作業時間は５分程度とすることができ、また、作業が容易なので、作業者による個人差が大きく現れることがない。
【００３４】
上記のように構成された引留碍子用防護カバーによれば、筒状部１０及び両端壁１１，１２に、低圧引込線２を引き留めた状態で引留碍子３、低圧引込線２、及び固定部材４を筒状部１０の内外に通過させる開口１３が形成されているので、低圧引込線２を引き留めた状態の引留碍子３をこの開口１３を通して筒状部１０の内部に導入することができる。このため、容易に引留碍子３を覆うことができる。
また、本実施形態の引留碍子用防護カバーによれば、筒状部１０及び両端壁１１，１２によって、引留碍子３の周囲を必要最小限の範囲で覆うことができるので、引留碍子３を防護することが、建物Ｈ側で行われる作業の妨げとなるのを防止できる。
以上より、本実施形態によれば、建物Ｈについての作業に支障をきたすことなく、容易にかつ短時間で引留碍子３の防護を行うことができる。
【００３５】
また、本実施形態では、開口１３が、引留碍子３を通過させるとともに、低圧引込線２の建物側区間が、当該区間の各被覆線２を覆う第一防護管６ごと通過させる幅広部１４を有しているので、この幅広部１４によって、建物側区間を、その第一防護管６ごと筒状部１０の内部に導くことができる。この結果、建物側区間と筒状部１０との境界部を隙間なく覆って防護することが容易となる。
【００３６】
また、上記引留碍子用防護カバー１は、低圧引込線２の建物側区間を第一防護管６ごと筒状部１０の内部に導いているので、筒状部１０が自己の軸線回りに回動するのを防止できる。このため、特に、回り止めに対する対策等を採る必要がなく、より短時間で引留碍子３の防護を行うことができる。
【００３７】
また、本実施形態において、第一端壁１１には、筒状部１０に導入された低圧引込線２の電柱側区間を、第二防護管７ごと包囲する孔部１１ａが形成されているので、この孔部１１ａに第二防護管７を挿入することができる。この結果、電柱側区間と、第一端壁１１との境界部を隙間なく覆って防護することができる。
【００３８】
本発明は、上記実施形態に限定されるものではない。上記実施形態では、筒状部１０は、断面ほぼ矩形に形成した場合を例示したが、例えば、円筒状としてもよいし、矩形以外の多角形断面としてもよい。
また、筒状部１０及び両端壁１１，１２を、ゴム等の弾性変形可能な合成樹脂材料で形成してもよく、この場合、引留碍子３を筒状部１０の内部に導入し収容する際に、筒状部１０及び両端壁１１，１２を適度に弾性変形させることができ、より容易に引留碍子３の防護を行うことができる。
また、上記実施形態では、建物Ｈ側に低圧引込線２を引き留める引留碍子３を防護する場合を示したが、電柱側においても建物Ｈ側と同様に低圧引込線２を引き留める引留碍子が用いられており、電柱側において作業を行う場合には、この電柱側の引留碍子に対しても、本発明の碍子用防護カバーを用いて防護することができる。
【符号の説明】
【００３９】
１      引留碍子用防護カバー
２      低圧引込線
２ｂ    被覆線
３      バインドレス碍子（引留碍子）
４      固定部材
６      第一防護管
７      第二防護管
１０    筒状部
１１    第一端壁
１１ａ  孔部
１２    第二端壁
１３    開口
１４    幅広部
Ｈ      建物（建造物）
【図１】
2012075237.tif 000003
【図２】
2012075237.tif 000004
【図３】
2012075237.tif 000005